(57)【要約】      （修正有）【課題】組み立てと折り畳みが簡便にでき、組み立て時は安定的な状態に保持され、汎用性に富み、また、折り畳み時は極めてコンパクトで、持ち運びし易いガードフェンスを提供する。【解決手段】底面板２、背面板３、ゴムシート９、一対の側面板４及び遮蔽板５を備える。底面板２には、内表面に一対の側壁２１と端壁２２とが周壁２０として立設される。背面板３は、底面板２に対し回動自在に枢支される。ゴムシート９は、使用時に底面板２の一辺から外方へ延設される。折り畳み時には、ゴムシート９、側面板４及び遮蔽板５は、底面板２の周壁２０に囲まれた空間内に収容可能である。【選択図】図３
0003157609.tif 000002
【実用新案登録請求の範囲】
【請求項１】
回転切断機の使用時に生じる飛散物の作業環境周囲への飛散を防止するガードフェンスであって、
内表面に一対の側壁と、前記側壁の一端部間を連接させる端壁が周壁として立設された底面板と、
前記底面板に対し回動自在に枢支されることにより、前記底面板に対して鈍角で傾斜状に起立させる組み立て状態と前記底面板に対して平行に位置する折り畳み状態とに体勢を変化自在とされた背面板と、
不使用時には底面板の周壁に囲まれた空間内に収容可能とされ、使用時には底面板の一辺から外方へ延在させて敷設される防炎・防振用のゴムシートと、
背面板の組み立て状態においては底面板と背面板との両側開口部を閉塞し、背面板の折り畳み状態においては前記底面板の前記周壁に囲まれた空間内に収容可能とされた一対の側面板と、
面内には回転切断機の使用時に生じる飛散物を通過させる開口部が形成され、背面板の組み立て状態においては、背面板から底面板の内表面に対して垂下し、背面板の折り畳み状態においては、底面板の周壁に囲まれた空間内に収容可能とされた遮蔽板と
を備えることを特徴とするガードフェンス。
【請求項２】
前記背面板は、内表面に一対の側壁が立設され、前記背面板の一対の側壁の一端部と前記底面板の一対の側壁の一端部とが回動軸により回動自在に枢支されることにより、前記組み立て状態と折り畳み状態とに体勢を変化自在とされ、前記折り畳み状態においては、前記底面板の周壁に囲まれた空間内に収容可能とされるとともに、反枢支方向の一辺には、前記折り畳み状態において、前記底面板の周壁に囲まれた空間を閉塞する蓋壁が形成されていることを特徴とする請求項１に記載のガードフェンス。
【請求項３】
前記底面板の内表面における周壁が形成されない一辺に、ヒンジ金具を介して枢支されていることを特徴とする請求項１乃又は請求項２に記載のガードフェンス。
【請求項４】
前記一対の側面板は、板材からなり、斜辺部がヒンジ金具を介して背面板の両側壁に回動自在に枢支された略直角三角形状の側面板本体と前記側面板本体の一側辺に連接された略長方形状の張出し部とを有し、前記張り出し部は側面板本体の一側辺を折り曲げ線としてそれぞれ外方へ折り曲げ形成されているとともに、前記折り曲げ線の下端には切り欠き部が形成され、前記背面板の組み立て状態においては、前記切り欠き部を前記底面板の側壁に嵌合させるように構成されていることを特徴とする請求項１乃至請求項３のいずれか１項に記載のガードフェンス。
【請求項５】
前記遮蔽板は、矩形状の板材あるいはシート材からなり、前記背面板の内表面にヒンジ金具を介して枢支されていることを特徴とする請求項１乃至請求項４のいずれか１項に記載のガードフェンス。
【請求項６】
板材からなり、前記底面板の周壁内に収容可能に形成された遮蔽補助板を備え、前記背面板の外表面には、前記遮蔽補助板を嵌着可能な爪状係合部が形成されていることを特徴とする請求項１乃至請求項５のいずれか１項に記載のガードフェンス。
【請求項７】
前記底面板および背面板の外表面には、前記底面板の周壁に囲まれた空間内に背面板を収容した状態で固定させるロック部材が配設されていることを特徴とする請求項１乃至請求項６のいずれか１項に記載のガードフェンス。
【請求項８】
前記底面板の端壁の外表面には、持ち運び用の把持部が配設されていることを特徴とする請求項１乃至請求項７のいずれか１項に記載のガードフェンス。
【考案の詳細な説明】
【技術分野】
【０００１】
本考案は、飛散物の飛散を防止するガードフェンスに関し、特に、チップソーや切断砥石等の円盤状のカッターをハンドル操作により押し下げてワークを切断する際に出るスパーク（火花）、切り粉、粉塵等の飛散物の作業環境周囲への飛散を防止する機能を備えた、折り畳み式のガードフェンスに関する。
【背景技術】
【０００２】
チップソーや切断砥石等の円盤状のカッターを高速回転させつつ、ハンドル操作により押し下げてワークに押し当てるようにすることで、前記ワークを切断するように構成された回転切断機がある。この回転切断機は、通常、ワークを保持するための万力、円盤状のカッター、モータ、操作ハンドルなどを備えた切断機構を水平なベース台上に装備したコンパクトな形態とされ、重量も持ち運び可能な重量とされ、しかも、電源は家庭用電源に対応しているため、場所を選ばずに使用でき、ワークを簡単かつ短時間に切断することができるため、その利便性から建築などの現場において多く使用されている。
【０００３】
例えば、型鋼や金属製の各種パイプ等、金属製のワークを切断する場合は、モータにより高速回転する円盤状の切断砥石を備えた高速カッターと称される回転切断機が用いられる。
【０００４】
ところが、高速カッターは、前記切断砥石によって金属を高速で切削することから、削られた切粉が摩擦熱により火花となって前方に飛び散るため、辺りに引火性の強い物質があった場合には、その物質に引火して火災が生じる虞れがある。このような事故を防止するためには、切断機の周囲を耐火性の板体で囲うことが望ましい。
【０００５】
また、ワークが金属製ではない場合であっても、チップソーなどの円盤状のカッターを用いてワークを切断する際に切り粉や粉塵が円盤状のカッターの回転方向へ飛んで、辺りを汚すことがある。
【０００６】
そこで、例えば、回転切断機の使用時における火花の飛散を防止するための工具として、実公昭６２−３６６０６号公報（特許文献１）に開示されたような火花飛散防止カバーが考案されている。
【０００７】
この火花飛散防止カバーは、回転切断機を載置する基板の一端部に前記基板に対向する対向板が枢着されているとともに、この対向板の両側に側板が枢着されており、使用に際しては対向板と両側板とを起こして回転切断機を囲うように組み立て、回転切断機を火花が前記対向板と両側板とにより囲まれた空間に向けて飛散するように前記基板上に載置して用い、不使用時には両側板と対向板とを倒して偏平な状態にして携帯できる構成となっている。
【先行技術文献】
【特許文献】
【０００８】
【特許文献１】実公昭６２−３６６０６号公報
【考案の概要】
【考案が解決しようとする課題】
【０００９】
しかしながら、前述の火花飛散防止カバーは、前記対向板に当たって跳ね返る火花や切り粉等が作業者の目や手などに触れ、作業者が思わぬ火傷や怪我をする虞があった。
【００１０】
また、前記基板はその外周縁に沿って周壁が立設されているため、この火花飛散防止カバーの基板上に載置可能な回転切断機のサイズが限られてしまい、汎用性の面での改良の余地があった。そして、前記基板上に載置された回転切断機は、その大きさ、重さ等によっては、円盤状の切断砥石を高速回転させるモータの駆動による振動で前記基板上の載置位置がずれてしまうこともあった。
【００１１】
本考案は、このような点に鑑みなされたものであり、組み立てと折り畳み収納が簡便にでき、組み立て時の状態ががたつきにくく安定的な状態に保持され、多種多様な回転切断機に対し利用可能であって汎用性に富み、しかも、それら回転切断機の座りもよく、かつ、作業者の安全が考慮されており、また、折り畳み状態においては極めてコンパクトであって、持ち運びし易いガードフェンスを提供することを目的とするものである。
【課題を解決するための手段】
【００１２】
前述した目的を達成するため、本考案に係るガードフェンスは、回転切断機の使用時に生じる飛散物の作業環境周囲への飛散を防止するガードフェンスであって、内表面に一対の側壁と、前記側壁の一端部間を連接させる端壁が周壁として立設された底面板と、前記底面板に対し回動自在に枢支されることにより、前記底面板に対して傾斜状に起立させる組み立て状態と前記底面板に対して平行に位置する折り畳み状態とに体勢を変化自在とされた背面板と、不使用時には底面板の周壁に囲まれた空間内に収容可能とされ、使用時には底面板の一辺から外方へ延在させて敷設される防炎・防振用のゴムシートと、背面板の組み立て状態においては底面板と背面板との両側開口部を閉塞し、背面板の折り畳み状態においては前記底面板の前記周壁に囲まれた空間内に収容可能とされた一対の側面板と、面内には回転切断機の使用時に生じる飛散物を通過させる開口部が形成され、背面板の組み立て状態においては、背面板から底面板の内表面に対して垂下し、背面板の折り畳み状態においては、底面板の周壁に囲まれた空間内に収容可能とされた遮蔽板とを備えることを特徴とする。
【００１３】
また、前記背面板は、内表面に一対の側壁が立設され、前記背面板の一対の側壁の一端部と前記底面板の一対の側壁の一端部とが回動軸により回動自在に枢支されることにより、前記組み立て状態と折り畳み状態とに体勢を変化自在とされ、前記折り畳み状態においては、前記底面板の周壁に囲まれた空間内に収容可能とされるとともに、反枢支方向の一辺には、前記折り畳み状態において、前記底面板の周壁に囲まれた空間を閉塞する蓋壁が形成されていることを特徴とする。
【００１４】
さらに、前記底面板の内表面における周壁が形成されない一辺に、ヒンジ金具を介して枢支されていることを特徴とする。
【００１５】
またさらに、前記一対の側面板は、板材からなり、斜辺部がヒンジ金具を介して背面板の両側壁に回動自在に枢支された略直角三角形状の側面板本体と前記側面板本体の一側辺に連接された略長方形状の張出し部とを有し、前記張り出し部は側面板本体の一側辺を折り曲げ線としてそれぞれ外方へ折り曲げ形成されているとともに、前記折り曲げ線の下端には切り欠き部が形成され、前記背面板の組み立て状態においては、前記切り欠き部を前記底面板の側壁に嵌合させるように構成されていることを特徴とする。
【００１６】
また、前記遮蔽板は、矩形状の板材あるいはシート材からなり、前記背面板の内表面にヒンジ金具を介して枢支されていることを特徴とする。
【００１７】
さらに、板材からなり、前記底面板の周壁内に収容可能に形成された遮蔽補助板を備え、前記背面板の外表面には、前記遮蔽補助板を嵌着可能な爪状係合部が形成されていることを特徴とする。
【００１８】
またさらに、前記底面板および背面板の外表面には、前記底面板の周壁に囲まれた空間内に背面板を収容した状態で固定させるロック部材が配設されていることを特徴とする。
【００１９】
また、前記底面板の端壁の外表面には、持ち運び用の把持部が配設されていることを特徴とする。
【考案の効果】
【００２０】
本考案によれば、組み立てと折り畳みが簡便にでき、組み立て時の状態がガタつきにくく安定的な状態に保持され、多種多様な回転切断機に対し利用可能であって汎用性に富み、しかも、それら回転切断機の座りもよく、かつ、作業者の安全が考慮されており、また、折り畳み状態においては極めてコンパクトであって、持ち運びし易いガードフェンスを実現することができる。
【図面の簡単な説明】
【００２１】
【図１】本考案に係るガードフェンスの一実施形態の構成と、組み立て（折り畳み）途中の状態を示す斜視図
【図２】図１のガードフェンスの構成と、折り畳み状態を示す斜視図
【図３】図１のガードフェンスの構成と、組み立て状態を示す斜視図
【図４】図３のガードフェンスに、さらに遮蔽補助板を配設した実施形態の構成と、組み立て状態を示す斜視図
【考案を実施するための形態】
【００２２】
以下、本考案に係るガードフェンス１について、図１乃至図４を参照して説明する。
【００２３】
本考案のガードフェンス１は、図１に示すように、亜鉛鉄板、ブリキ鉄板等の板金材からなる矩形状の底面板２、矩形状の背面板３、一対の側面板４、遮蔽板５、および遮蔽補助板６を備えている。なお、これらは板金材に限ることなく、例えば、耐火性に優れた樹脂材等からなる板材により形成することも可能である。さらに、遮蔽板５は、板材に限らず耐燃性、耐火性を備え、後述するように、背面板３の組み立て状態とされた際に垂下する剛性を備えたシート状部材であってもよい。
【００２４】
矩形状とされた底面板２の内表面における三辺には、一対の側壁２１，２１と、側壁２１，２１の一端部間を連接させる端壁２２が周壁２０として立設されており、一対の側壁２１，２１の他端部側角部は安全を考慮してＲ状に面取りされている。
【００２５】
また、背面板３は底面板２より一回り小さい寸法サイズに形成されており、内表面における三辺には、一対の側壁３１，３１と、側壁３１，３１の一端部間を連接させる端壁３２が周壁３０として立設されている。
【００２６】
そして、背面板３の一対の側壁３１，３１の一端部と、底面板２の一対の側壁２１，２１の一端部とが回動軸７により回動自在に枢支されることにより、底面板２に対して傾斜状に起立させる組み立て状態と、底面板２に対して平行に位置する折り畳み状態とに形態を変化自在とされ、底面板２に対する背面板３の折り畳み状態においては、背面板３は底面板２の周壁２０に囲まれた空間Ｓ内に収容可能に構成されている。
【００２７】
そして、本実施形態において、底面板２の内表面における周壁２０が形成されない一辺には、ヒンジ金具８を介して、矩形状とされた防炎・防振用の難燃性材料からなるゴムシート９が枢支されており、当該ガードフェンス１の不使用時において、ゴムシート９は底面板２の周壁２０に囲まれた空間Ｓ内に収容され、当該ガードフェンス１の使用時においては、底面板２の一辺から外方へ延在させて敷設されるように構成されている。
【００２８】
また、本実施形態において、背面板３の内表面における周壁３０が形成されない一辺には、背面板３の折り畳み状態において、Ｒ状に面取りされた底面板２の側壁間に位置して底面板２の周壁２０に囲まれた空間Ｓを閉塞する蓋壁３３が、底面板２の側壁の他端部側角部のＲ状に沿わせた略く字状に折り曲げ形成されている。
【００２９】
また、一対の側面板４はそれぞれ、略直角三角形状の側面板本体４１と側面板本体４１の一側辺に連接された略長方形状の張り出し部４２とを有している。張り出し部４２は側面板本体４１の一側辺を折り曲げ線としてそれぞれ外方へ折り曲げ形成され、折り曲げ線の下端には切り欠き部４３が形成されている。そして、側面板本体４１の斜辺部がヒンジ金具８を介して背面板３の両側壁に回動自在に枢支されており、背面板３が組み立て状態とされた際に、切り欠き部４３を底面板２の側壁に嵌合させることで、各側面板４は背面板３および底面板２の内表面から略９０°で起立して底面板２と背面板３との両側開口部を閉塞し、また、底面板２に対する背面板３の折り畳み状態においては、底面板２の周壁２０に囲まれた空間Ｓ内に収容可能に構成されている。
【００３０】
また、背面板３の内表面には、ヒンジ金具８を介して、矩形状の遮蔽板５が枢支されており、背面板３が組み立て状態とされた際に、背面板３から底面板２の内表面に対して略９０°に垂下し、底面板２に対する背面板３の折り畳み状態においては、底面板２の周壁２０に囲まれた空間Ｓ内に収容可能に構成されている。遮蔽板５には、火花、切り粉、粉塵等を通過させる開口部５１が形成されており、本実施形態において、開口部５１は当該ガードフェンス１を利用する回転切断機のサイズとその載置位置を考慮し、左右方向においてやや右寄りに形成されているが、その形成位置は適宜変更可能とする。
【００３１】
また、遮蔽補助板６は、底面板２より一回り小さい寸法サイズの矩形状に形成され、当該ガードフェンス１の不使用時において、底面板２の周壁２０に囲まれた空間Ｓ内に収容可能とされている。
【００３２】
さらに、図２に示すように、背面板３の外表面における周壁３０が形成されていない辺には、その中央部から対称となる位置に、遮蔽補助板６を嵌着可能な一対の爪状係合部１０が形成されており、当該ガードフェンス１の使用時に、必要に応じて遮蔽補助板６をこの爪状係合部１０に嵌着させることで、背面板３を上方向に延出可能となるように構成されている。
【００３３】
また、底面板２および背面板３の外表面における、周壁２０、３０が形成されていない辺の中央部には、当該ガードフェンス１の不使用時に背面板３を底面板２の周壁２０に囲まれた空間Ｓ内に収容した状態で固定させるロック部材としての平面ファスナ１１が固着されている。
【００３４】
またさらに、底面板２の端壁の外表面には持ち運び用の把持部材１２が固着されている。
【００３５】
そして、このように構成されたガードフェンス１は、その使用に際しては、図３に示すように、まず、底面板２の外表面を下にして所望の平地に載置する。そして、平面ファスナ１１の結合を解除し、ゴムシート９を底面板２の一辺から外方へ延在させて敷設する。そして、背面板３を底面板２に対して傾斜状に起立させ、組み立て状態とするとともに、折り畳まれた側面板４，４を展開し、ぞれぞれに形成された切り欠き部４３を底面板２の周壁２０に嵌合させて組み立てる。これにより、側面板４，４および背面板３は固定され、背面板３に枢支された遮蔽板５は底面板２の内表面に対して略９０°に垂下される。なお、底面板２の端壁２２は背面板３を組み立て状態とする際に、側壁２１を枢支する回転軸７により回転する背面板３の外表面が端壁２２の上辺に当接することで、背面板３が必要以上に拡開されることを回避するように作用する。
【００３６】
そして、必要に応じ、遮蔽補助板６を爪状係合部１０に嵌着させ、背面板３を上方向に延出させる（図４参照）。
【００３７】
このように、本実施形態によれば、組み立てが簡便にでき、しかも、組み立て時の状態ががたつきにくく安定的な状態に保持される。
【００３８】
そして、ゴムシート９上に回転切断機を載置し、所望のワークの切断作業を行う。
【００３９】
このように、ゴムシート９上に回転切断機を載置することにより、円盤状のカッターを高速回転させるモータの駆動の際の振動を抑えることができるので、回転切断機の載置位置がずれるような不具合を防止することができる。また、本実施形態においては、回転裁断機の載置面積が広く確保できるので、多種多様な回転切断機に対し利用可能であって汎用性に富む。
【００４０】
なお、このとき、回転切断機から飛散する火花、切り粉、粉塵等の飛散物の飛散方向が遮蔽板５に形成された開口部５１ヘ向かうように、回転裁断機の載置位置を考慮する。回転裁断機から飛散する火花等の飛散物は、開口部５１を通過して、背面板３、側面板４および遮蔽板５に囲繞された回収空間ＫＳ内に集積される。その際、背面板３の内表面に衝突し、跳ね返った火花等の飛散物は回収空間ＫＳ内から外方への飛散を側面板４や遮蔽板５が防ぐので、作業者が火傷等の怪我をすることも防止することができ、また、作業現場を汚すことも防止することができる。さらには、作業後の清掃も、回収空間ＫＳ内を主に清掃すればよく、清掃作業が簡便になる。また、万が一、回収空間ＫＳにおいて背面板３に跳ね返り、開口部５１から火花等の飛散物が飛び出すことがあった場合にも、遮蔽補助板６により、火花等の飛散物が作業環境周囲へ拡散することを防止することができる。
【００４１】
そして、作業終了後には、背面板３を起立させ、遮蔽板５を折り畳むと共に、側面板４の底面板２の周壁２０に対する嵌合を解除して折り畳み、ゴムシート９と遮蔽補助板６を底面板２の周壁２０に囲まれた空間Ｓ内に収容した後、背面板３を底面板２の周壁２０に囲まれた空間Ｓ内に収容し、平面ファスナ１１で底面板２と背面板３とをロックする（図２参照）。そして、このようにして纏められたガードフェンス１は把持部材１２を把持して持ち運ぶ。このように、本実施形態のガードフェンス１は折り畳み状態において極めてコンパクトであって、持ち運びもし易い。
【００４２】
なお、本考案は、前述した実施の形態に限定されるものではなく、必要に応じて種々変更することができる。
【００４３】
例えば、本実施形態において、遮蔽補助板６は、図４に示すように、横長の状態で爪状係合部１０に対し嵌着させて用いる例を示したが、遮蔽補助板６を縦長の状態で使用したり、使用場所の風向き等を考慮して、背面板３の側方へはみ出すようにスライドさせた状態で爪状係合部１０に対し嵌着させて用いることも可能である。
【００４４】
また、背面板３の内表面の開口部５１と対応する部分に、火花等の飛散物の跳ね返り方向を誘導する面や部材を形成してもよい。具体的には、縦方向の稜線を有する断面三角形状の傾斜面部を形成すれば、火花等の飛散物の跳ね返り方向を両側面板４の方向へ誘導することができるので、跳ね返った火花等の飛散物が開口部５１から飛び出すことを、より確実に防止することが可能となる。
【符号の説明】
【００４５】
１  ガードフェンス
２  底面板
２０  周壁
２１  側壁
２２  端壁
３  背面板
３０  周壁
３１  側壁
３２  端壁
３３  蓋壁
４  側面板
４１  側面板本体
４２  張り出し部
４３  切り欠き部
５  遮蔽板
５１  開口部
６  遮蔽補助板
７  回動軸
８  ヒンジ金具
９  ゴムシート
１０  爪状係合部
１１  平面ファスナ
１２  把持部材
Ｓ  空間
ＫＳ  回収空間
【図１】
0003157609.tif 000003
【図２】
0003157609.tif 000004
【図３】
0003157609.tif 000005
【図４】
0003157609.tif 000006